(57)【要約】【課題】  携帯型記憶媒体が複数の者で共有される場合にも、正規の使用者のデータのみを印刷することのできる画像形成装置の提供。【解決手段】  携帯型記憶媒体としてのＵＳＢメモリ、または複合機のＲＡＭに、ユーザ文字列として「Ｙａｍａｄａ」と「ｓｕｚｕｋｉ」とが登録されている場合に、図７（Ａ）に例示するようなファイルが記憶されたＵＳＢメモリが複合機に装着されると、図７（Ｂ）に例示するような表示リスト（印刷すべきファイルを表示して選択するためのリスト）が作成される。すなわち、「Ｙａｍａｄａ」または「ｓｕｚｕｋｉ」の文字列がファイル名に含まれないファイルは、そのファイル名が文字列ｘｘｘｘｘに置き換えられ、そのファイルを選択して印刷することができなくなる。【選択図】図７
2008213329.tif 000002
【特許請求の範囲】
【請求項１】
携帯型記憶媒体からデータを読み出す読み出し手段と、
該読み出し手段が読み出したデータのうち、正規の使用者に対応するファイルのみを選択可能な選択手段と、
該選択手段を介して選択されたファイルのデータに基づき、被記録媒体に画像を形成する画像形成手段と、
を備えたことを特徴とする画像形成装置。
【請求項２】
上記選択手段は、正規の使用者に応じて予め登録された文字列を少なくとも含むファイル名またはフォルダ名に対応するファイルのみを選択可能なことを特徴とする請求項１記載の画像形成装置。
【請求項３】
上記選択手段は、使用者に入力された文字列を少なくとも含むファイル名またはフォルダ名に対応するファイルのみを選択可能なことを特徴とする請求項１または２記載の画像形成装置。
【請求項４】
上記選択手段は、
上記読み出し手段が読み出したデータのうち、選択可能なファイルのみを表示する第１表示手段と、
該第１表示手段に表示されたファイルの中から任意のファイルを指定可能な第１指定手段と、
を備えたことを特徴とする請求項１〜３のいずれかに記載の画像形成装置。
【請求項５】
上記選択手段は、
上記読み出し手段が読み出した全てのファイルを表示する第２表示手段と、
該第２表示手段に表示されたファイルの中から、上記選択可能なファイルのみを指定可能な第２指定手段と、
を備えたことを特徴とする請求項１〜３のいずれかに記載の画像形成装置。
【発明の詳細な説明】
【技術分野】
【０００１】
本発明は、被記録媒体に画像を形成する画像形成装置に関し、詳しくは、携帯型記憶媒体からデータを読み出し、その読み出したデータに基づいて被記録媒体に画像を形成（以下、印刷ともいう）する画像形成装置に関する。
【背景技術】
【０００２】
従来より、ＵＳＢメモリ，メモリカード等の携帯型記憶媒体からデータを読み出し、その読み出したデータに基づいて用紙等の被記録媒体に画像を形成する画像形成装置が提案されている。また、この種の画像形成装置では、携帯型記憶媒体に予め設定されたパスワードと、画像形成装置に使用者から入力されたパスワードとが一致したときにのみ、画像を形成可能とすることも提案されている（例えば、特許文献１参照）。
【特許文献１】特開２００２−１０３７３３号公報
【発明の開示】
【発明が解決しようとする課題】
【０００３】
ところが、特許文献１記載の画像形成装置では、パスワードが一致した場合はその携帯型記憶媒体に記憶された任意のデータが印刷可能となってしまう。このため、携帯型記憶媒体が複数の者で共有される場合は、上記パスワードが一旦一致すると当該携帯型記憶媒体に記憶された正規の使用者以外の者のデータも印刷可能となり、正規の使用者のデータのみを印刷可能にすることはできなかった。そこで、本発明は、携帯型記憶媒体が複数の者で共有される場合にも、正規の使用者のデータのみを印刷することのできる画像形成装置の提供を目的としてなされた。
【課題を解決するための手段】
【０００４】
上記目的を達するためになされた本発明の画像形成装置は、携帯型記憶媒体からデータを読み出す読み出し手段と、該読み出し手段が読み出したデータのうち、正規の使用者に対応するファイルのみを選択可能な選択手段と、該選択手段を介して選択されたファイルのデータに基づき、被記録媒体に画像を形成する画像形成手段と、を備えたことを特徴としている。
【０００５】
このように構成された本発明では、読み出し手段が携帯型記憶媒体からデータを読み出すと、そのデータのうち、正規の使用者に対応するファイルのみが選択手段を介して選択可能となる。そして、画像形成手段は、選択手段を介して選択されたファイルのデータに基づき、被記録媒体に画像を形成する。
【０００６】
このため、正規の使用者以外の者に対応するファイルは選択手段を介して選択することができず、延いてはそのファイルのデータを印刷することもできない。従って、本発明では、携帯型記憶媒体が複数の者で共有される場合にも、正規の使用者に対応するファイルのデータのみを印刷可能にして、正規の使用者以外の者による装置の使用を抑制することができる。
【０００７】
なお、本発明は以下の構成に限定されるものではないが、上記選択手段は、正規の使用者に応じて予め登録された文字列を少なくとも含むファイル名またはフォルダ名に対応するファイルのみを選択可能であってもよい。この場合、正規の使用者は、自身に応じて予め登録された文字列を含むファイル名またはフォルダ名をデータに付けるだけでそのデータを印刷することが可能となる。
【０００８】
また、上記選択手段は、使用者に入力された文字列を少なくとも含むファイル名またはフォルダ名に対応するファイルのみを選択可能であってもよい。この場合、携帯型記憶媒体に記憶されたデータのファイル名またはフォルダ名を知らなければ文字列を入力してデータの印刷を行うことができない。このため、携帯型記憶媒体が第三者の手に渡った場合にも、携帯型記憶媒体に記憶されたデータがその第三者によって不正に印刷されるのを抑制することができる。
【０００９】
また、上記選択手段は、上記読み出し手段が読み出したデータのうち、選択可能なファイルのみを表示する第１表示手段と、該第１表示手段に表示されたファイルの中から任意のファイルを指定可能な第１指定手段と、を備えてもよい。この場合、選択可能なファイルのみが第１表示手段によって表示され、その中から所望のファイルを第１指定手段によって指定することによって、そのファイルを選択して印刷することができる。このように、選択可能なファイルのみが表示される場合、ファイルの選択が容易になる。
【００１０】
また、上記選択手段は、上記読み出し手段が読み出した全てのファイルを表示する第２表示手段と、該第２表示手段に表示されたファイルの中から、上記選択可能なファイルのみを指定可能な第２指定手段と、を備えてもよい。この場合、選択不能のファイルも第２表示手段によって表示され、その中から正規の使用者に対応する選択可能なファイルが第２指定手段によって指定されると、そのファイルが選択されて印刷がなされる。このように、選択不能のファイルも表示される場合、その携帯型記憶媒体にどのようなデータが記憶されているのかを、印刷できないファイルも含めて知ることができる。
【００１１】
なお、上記各発明において、読み出し手段は、選択手段による選択がなされるまでは上記携帯型記憶媒体に記憶されたデータのファイル名及びフォルダ名のみを読み出してもよく、そのファイル名に対応するデータ本体の一部または全部も含めて読み出してもよい。
【発明を実施するための最良の形態】
【００１２】
図１は、本発明を適用した複合機１の外観を表す斜視図であり、図２は、複合機１に設けられた本体カバー１２を開いた状態の外観を表す斜視図である。なお、この複合機１は、少なくとも、イメージスキャナ、プリンタ、コピー、ファクシミリとしての機能を備えたものである。
【００１３】
複合機１は、画像が形成（以下、印刷ともいう）される被記録媒体の一例としての用紙１８（図３参照）を給紙する用紙トレー１７と、用紙トレー１７から供給された用紙１８に画像を形成する本体１０と、本体１０の上面を完全に覆うように、本体１０に開閉可能に支持された本体カバー１２と、を備えている。
【００１４】
本体１０は、原稿１９（図２参照）に記載された画像を読み取る（以下、原稿１９を読み取るともいう）原稿読取部４０（図４参照）と、用紙１８に画像を形成する画像形成手段の一例としての画像形成部２（図３参照）と、複合機１を使用する際に必要な情報を使用者が入力する操作部１４と、を備えている。そして、原稿読取部４０、画像形成部２は、本体ケース１１内に収納されている。
【００１５】
また、本体ケース１１は、原稿読取部４０に読み取られる原稿１９を配置する読取面１１Ａ（図２参照）と、用紙トレー１７を介さずに画像形成部２に用紙１８を供給するための手差給紙部８と、画像形成部２で印刷された用紙１８が排出される用紙排出部７と、を有している。そして、読取面１１Ａは、ガラス等の光を透過する素材によって形成された板材であり、本体カバー１２と相対する本体ケース１１の上面に固定されている。
【００１６】
また、操作部１４は、複数の機能のうち使用者が望む機能を選択するための動作選択キー１４Ａと、使用者が選択した機能を実行するためのスタートキー１４Ｂと、複合機１の状態等を表示するための表示部１５と、その表示部１５にメニューを表示するためのメニューキー１４Ｃと、そのメニューを操作するための十字キー１４Ｄと、各種動作をキャンセルするためのキャンセルキー１４Ｅと、を備えている。
【００１７】
動作選択キー１４Ａは、複合機１に備えられた各機能の中から、使用者が使用したい機能を選択するためのものであり、具体的には、コピー機能を選択するためのコピーキーや、ファクシミリ機能（更に、ファクシミリデータを送信するＦＡＸ送信機能と、受信するＦＡＸ受信機能とに分かれる）を選択するためのファクシミリキー、スキャナ機能を選択するためのスキャナキー等が設けられている。なお、使用者が動作選択キー１４Ａを操作することによって使用者が望む機能が選択されると、選択された機能に対応する画面やキーの役割付け等が行われ、これによって、操作部１４が提供する操作環境の切り替えが行われる。
【００１８】
また、メニューキー１４Ｃを操作すると、表示部１５には複数の階層からなるメニューが表示される。そして、このようにメニューが表示された状態では、十字キー１４Ｄの左右のボタンを操作することによりメニューの階層の切り替えが、十字キー１４Ｄの上下のボタン（以下、上下キーという）を操作することにより各階層における項目の選択が、十字キー１４Ｄの中央のボタン（以下、ＳＥＴキーという）を操作することにより上記選択された項目のセットが、それぞれ実行できる。
【００１９】
［画像形成部の構成について］
次に、複合機１の本体１０内の概略構成を図３に示す断面図を用いて、画像形成部２について説明する。画像形成部２は、レーザー光を照射し画像を形成するスキャナユニット６０、スキャナユニット６０で形成された画像を用紙１８に転写するプロセスカートリッジ６、用紙１８に転写された画像を定着させる定着ユニット７０、を備えている。
【００２０】
このうち、スキャナユニット６０は、後述する感光ドラム８０上に静電潜像を形成するためのレーザ光を発光するレーザーダイオード（図示せず）と、レーザーダイオードが発光するレーザー光を走査状に反射するように回転駆動されるポリゴンミラー６１と、レーザー光を集光するレンズ６２、６３及び反射ミラー６４、６５、６６等の光学器と、を備えている。つまり、スキャナユニット６０では、レーザーダイオードが発光するレーザー光がポリゴンミラー６１により偏向され、光学器により集光、かつ光路の変更後、感光ドラム８０の表面に高速走査にて照射される。
【００２１】
また、プロセスカートリッジ６は、画像形成プロセス（帯電、現像、転写）を行うための構成を備えたカートリッジであり、ドラムカートリッジ４と、ドラムカートリッジ４に着脱自在に装着され、トナー（図示せず）を収納する現像カートリッジ５０と、から構成されている。
【００２２】
そして、ドラムカートリッジ４は、レーザー光の被照射体であり、用紙１８に転写されるトナー画像が形成される感光ドラム８０と、感光ドラム８０を帯電させる帯電器８２と、感光ドラム８０上のトナー画像を用紙１８に転写する転写ローラー８１と、を備えている。つまり、感光ドラム８０上のトナー画像は、感光ドラム８０と転写ローラー８１との間を通過する用紙１８に転写される。
【００２３】
また、定着ユニット７０は、加熱用ローラ７１と、押圧ローラ７２とを備え、感光ドラム８０と転写ローラー８１との圧接部において用紙１８に転写されたトナー画像が、加熱用ローラ７１と押圧ローラ７２との間を搬送される時に、加熱かつ押圧されることにより、用紙１８に定着されるように構成されている。
【００２４】
つまり、画像形成部２では、スキャナユニット６０から照射されたレーザー光により感光ドラム８０に形成された静電潜像を、現像カートリッジ５０から供給されるトナーによって現像する。そして、用紙トレー１７から供給された用紙１８に、プロセスカートリッジ６を通過する間にそのトナー画像を転写し、定着ユニット７０にて定着させる。
【００２５】
［本体カバー及び原稿読取部の構成］
次に、図４は、本体カバー１２及び原稿読取部４０の構成を表す概略断面図である。図４に示すように、本体カバー１２は、原稿読取部４０に読み取られる前の原稿１９を載置する載置部２１と、原稿読取部４０に読み取られた後の原稿１９を集積する集積部３１と、載置部２１から読取面１１Ａを経由して（すなわち、原稿自動搬送読取位置３で保持された原稿読取部４０に原稿１９を読み取らせた後）集積部３１へと原稿１９を搬送する搬送部２５と、を備えている。以下、載置部２１、集積部３１、搬送部２５を総称して原稿自動搬送装置５とする。
【００２６】
また、図４に示すように、原稿読取部４０は、原稿１９に対して光を照射する光源４３と、原稿１９によって反射された反射光を集光するミラー及びレンズ等の光学素子群４２と、原稿１９から画像を読み取るためのイメージセンサ４１と、を備えている。つまり、原稿読取部４０は、光源４３から光を照射し、原稿１９によって反射された反射光を光学素子群４２によって集光し、集光された反射光をイメージセンサ４１によって認識することにより原稿１９を読み取るように構成されている。
【００２７】
更に、原稿読取部４０は、原稿自動搬送読取位置３と対面する位置において、原稿１９の読み取りが可能であり、かつ、図示しない原稿読取部駆動機構により、読取面１１Ａに沿った本体ケース１１の長手方向（図４の左右方向）への移動が可能に構成されている。
【００２８】
つまり、原稿自動搬送装置５を用いて原稿１９の読み取りを行う際には、原稿読取部４０を、原稿自動搬送読取位置３に対面する位置に保持し、原稿自動搬送装置５によって搬送される原稿１９から、その原稿１９の全画像を読み取る。また、読取面１１Ａを覆うように配置された原稿１９の読み取りを行う（いわゆる、フラットベット型として使用する）際には、原稿読取部４０は、上記原稿読取部駆動機構によって移動されながら、読取面１１Ａに配置された原稿１９の全画像を読み取る。
【００２９】
次に、載置部２１には、その載置部２１に原稿１９が載置されていることを検知する載置部検知センサ２４が配置され、本体ケース１１には、読取面１１Ａに原稿１９が配置されていることを検知する読取面検知センサ３５（図５参照）が配置されている。以下、載置部検知センサ２４、読取面検知センサ３５を総称して原稿検知センサ（図５参照）９２とする。
【００３０】
載置部検知センサ２４及び読取面検知センサ３５は、それぞれ、発光部２４Ａと受光部２４Ｂ、発光部３５Ａと受光部３５Ｂからなる光センサである。そして、発光部２４Ａと受光部２４Ｂ、発光部３５Ａと受光部３５Ｂは、それぞれ、載置部２１または読取面１１Ａに配置された原稿１９によって、発光部２４Ａ、３５Ａから受光部２４Ｂ、３５Ｂに向かう光が遮られるように対向配置されている。
【００３１】
但し、読取面検知センサ３５は、本体ケース１１内の原稿読取部４０が移動する移動経路から外れた位置に受光部３５Ｂが配置され、本体カバー１２内に発光部３５Ａが配置されている。つまり、読取面検知センサ３５は、本体カバー１２が閉じられた際に、発光部３５Ａから照射された光を受光部３５Ｂが受光するように構成されている。
【００３２】
このため、原稿検知センサ９２では、その設置位置に原稿１９が存在していない時には、発光部２４Ａ、３５Ａから照射された光が受光部２４Ｂ、３５Ｂで検知されるため、受光部２４Ｂ、３５Ｂからは、信号レベルの大きな受光信号が得られる。また、原稿検知センサ９２の設置位置に原稿１９が存在している時には、原稿１９に遮られ、発光部２４Ａ、３５Ａから照射された光が受光部２４Ｂ、３５Ｂで検知されないため、受光部２４Ｂ、３５Ｂからは、信号レベルの小さな受光信号が得られる。
【００３３】
［制御系に関する説明］
次に、図５は、複合機１の制御系の構成を示すブロック図である。複合機１には、パーソナルコンピュータ等の外部機器やインターネット等のネットワーク（図示せず）に接続するためのネットワークインタフェース（ネットワークＩ／Ｆ）１０８と、電話回線に接続するためのファクシミリインタフェース（ファクシミリＩ／Ｆ）１０４と、データを読み書き可能な携帯型記憶媒体の一例としてのＵＳＢメモリ１０５が着脱される読み出し手段の一例としての接続部１０６と、複合機１の様々な駆動を制御するための処理プログラムを記憶するＲＯＭ１０１と、処理結果等を一時的に記憶するＲＡＭ１０２と、電源がＯＦＦになっても保存しておく必要のあるデータを記憶するＮＶＲＡＭ（不揮発性メモリ）１０７と、ＲＯＭ１０１に記憶された処理プログラムを実行するＣＰＵ１０３と、が備えられている。
【００３４】
更に、ＣＰＵ１０３には、前述の原稿読取部４０、画像形成部２、表示部１５に画像を表示させる表示駆動部９１、操作部１４が操作されたことを検知する操作検知部９０、及び、前述の原稿検知センサ９２、が接続されている。
【００３５】
接続部１０６は、ＵＳＢメモリ１０５が装着されると、ＵＳＢメモリ１０５に対し通電するように構成されていると共に、ＵＳＢメモリ１０５が装着されたことを検知する接続検知部９３を備えている。なお、ＵＳＢメモリ１０５に記憶されるデータとしては、ＪＰＥＧ、ＴＩＦＦ等の汎用的な画像フォーマットを持つファイルや、一般的なワープロソフトにより作成されたものやＰＤＦ形式等の文書ファイル、プリンタドライバが出力した印刷データをファイル化したものなど、種々の形態がある。
【００３６】
［上記制御系における処理（ファイル表示リスト更新処理）］
次に、複合機１では、接続部１０６にＵＳＢメモリ１０５が装着されると、そのＵＳＢメモリ１０５からデータを読み出し、そのデータに基づいて画像形成部２を介して用紙１８に画像を形成するダイレクトプリント処理が実行される。以下、このダイレクトプリント処理について説明する。
【００３７】
図６は、このダイレクトプリント処理のうち、ＵＳＢメモリ１０５が接続部１０６に装着されたことをトリガにして、ＣＰＵ１０３がＲＯＭ１０１に記憶されたプログラムに基づいて実行するファイル表示リスト更新処理を表すフローチャートである。
【００３８】
図６に示すように、この処理では、先ず、Ｓ１（Ｓはステップを表す：以下同様）にて、ＵＳＢメモリ１０５の挿入後、ＵＳＢファイル表示要求がなされたか否かが判断される。なお、ＵＳＢファイル表示要求とは、十字キー１４Ｄ等を介して入力され、ＵＳＢメモリ１０５に記憶されたファイルを表示するための要求である。
【００３９】
ＵＳＢファイル表示要求がなされていない場合は（Ｓ１：Ｎ）、処理はそのまま一旦終了し、ＵＳＢファイル表示要求がなされた場合は（Ｓ１：Ｙ）、Ｓ２にて、ＵＳＢメモリ１０５及びＮＶＲＡＭ１０７にユーザ登録情報が記憶されているか否かが判断される。なお、ユーザ登録情報とは、ＵＳＢメモリ１０５及び複合機１の正規の使用者を、使用者名等（ＩＤ等であってもよい）の文字列（以下、ユーザ文字列という）で登録した情報である。
【００４０】
このユーザ登録情報を記憶させるためのユーザ登録作業は、例えば、複合機１を管理する権限を持った管理者のみが行うことができ、例えば、複合機１の接続部１０６にＵＳＢメモリ１０５を装着した状態で、所定のキー操作により「ユーザ登録モード」に入り、複合機１の使用を許可する使用者名等の文字列（ユーザ文字列）が、ＮＶＲＡＭ１０７及びＵＳＢメモリ１０５の特定の記憶領域に格納されることで、ユーザ登録が行われる。このようなユーザ登録は、複合機１のＮＶＲＡＭ１０７に対してユーザ登録情報が記憶されることだけでもよいが、ＵＳＢメモリ１０５にも同じユーザ登録情報を記憶させておくことにより、登録済みのＵＳＢメモリ１０５のみの使用を許可して、セキュリティをより向上させることが可能となる。
【００４１】
ＵＳＢメモリ１０５及びＮＶＲＡＭ１０７にユーザ登録情報が記憶されていない場合は（Ｓ２：Ｎ）、処理はそのまま一旦終了し、ユーザ登録情報が記憶されている場合は（Ｓ２：Ｙ）、処理は続くＳ３へ移行する。
【００４２】
Ｓ３では、ＵＳＢメモリ１０５に記憶されたファイルの１つが、比較対照のファイルに設定される。続くＳ４では、Ｓ３にて比較対照に設定されたファイルのファイル名の文字列（拡張子を除く）に、上記ユーザ文字列（ユーザ文字列が複数登録されている場合はユーザ文字列のいずれか１つ）が含まれるか否かが判断される。ファイル名にユーザ文字列が含まれる場合は（Ｓ４：Ｙ）、Ｓ５にてそのファイル名が表示リストに入れられた後、Ｓ６にて、ＵＳＢメモリ１０５の全てのファイルが調べられたか否かが判断される。ＵＳＢメモリ１０５の全てのファイルが調べられていない場合は（Ｓ６：Ｎ）、処理は前述のＳ３へ移行し、ＵＳＢメモリ１０５に記憶された他のファイルの１つが比較対照のファイルに設定されて前述の処理が実行される。
【００４３】
また、Ｓ３にて比較対照に設定されたファイルのファイル名にユーザ文字列が含まれていない場合は（Ｓ４：Ｎ）、処理はＳ７へ移行する。Ｓ７では、そのファイルのファイル名が文字列ｘｘｘｘｘに置き換えられた上で上記表示リストに入れられ、処理は前述のＳ６へ移行する。こうして、Ｓ３〜Ｓ７の処理が繰り返し実行されることにより、ＵＳＢメモリ１０５の全てのファイルが調べられると（Ｓ６：Ｙ）、処理が一旦終了する。
【００４４】
以上の処理により、例えば、ユーザ文字列として「Ｙａｍａｄａ」と「ｓｕｚｕｋｉ」とが登録されている場合に、図７（Ａ）に例示するようなファイルが記憶されたＵＳＢメモリ１０５が装着されると、図７（Ｂ）に例示するような表示リストが作成される。すなわち、「Ｙａｍａｄａ」または「ｓｕｚｕｋｉ」の文字列がファイル名に含まれていないファイルは、そのファイル名が文字列ｘｘｘｘｘに置き換えられる。なお、図７（Ｂ）に示す※印は、以下に説明するように、表示部１５に表示すべきファイル名を表すフラグである。
【００４５】
［上記制御系における処理（選択ファイルの印刷・削除処理）］
次に、図８は、上記ファイル表示リスト更新処理に続いて、ＣＰＵ１０３がＲＯＭ１０１に記憶されたプログラムに基づいて実行する選択ファイルの印刷・削除処理を表すフローチャートである。図８に示すように、この処理では、先ずＳ２１にて、前述の表示リスト内のファイルのうち※印が付与されたファイルのファイル名が表示部１５に表示される。続くＳ２２では、十字キー１４Ｄの上下キーが押下されたか否かが判断され、押下されていない場合は（Ｓ２２：Ｎ）、Ｓ２３にて、十字キー１４ＤのＳＥＴキーが押下されたか否かが判断される。ＳＥＴキーも押下されていない場合は（Ｓ２３：Ｎ）、Ｓ２４にて、キャンセルキー１４Ｅが押下されたか否かが判断され、キャンセルキー１４Ｅも押下されていない場合は（Ｓ２４：Ｎ）、処理は前述のＳ２２へ移行する。すなわち、十字キー１４Ｄの上下キーまたはＳＥＴキー、或いはキャンセルキー１４Ｅが押下されるまで、Ｓ２２〜Ｓ２４のループ処理による待機がなされる。
【００４６】
Ｓ２２〜Ｓ２４のループ処理中にキャンセルキー１４Ｅが押下されると（Ｓ２４：Ｙ）、処理はそのまま終了し、Ｓ２２〜Ｓ２４のループ処理中に上下キーが押下されると（Ｓ２２：Ｙ）、処理はＳ２５へ移行する。Ｓ２５では、前述の※印が上または下へ１つ移動される。続くＳ２６では、※印が付与されたファイルのファイル名が表示部１５に表示され、続いて処理は前述のＳ２２へ移行する。このため、Ｓ２２〜Ｓ２６の処理により、使用者は、印刷または削除したいファイルを上下キーの操作によって表示部１５に表示することができる。
【００４７】
一方、Ｓ２２〜Ｓ２４のループ処理中にＳＥＴキーが押下されると（Ｓ２３：Ｙ）、Ｓ３１にて、表示部１５に「Ｐｒｉｎｔ？」と表示される。続くＳ３２では、上下キーが押下されたか否かが判断され、押下されていない場合は（Ｓ３２：Ｎ）、Ｓ３３にて、ＳＥＴキーが押下されたか否かが判断される。そして、ＳＥＴキーも押下されていない場合は（Ｓ３３：Ｎ）、処理は前述のＳ３２へ移行し、表示部１５に「Ｐｒｉｎｔ？」と表示しながらＳ３２，Ｓ３３のループ処理による待機がなされる。
【００４８】
Ｓ３２，Ｓ３３のループ処理中に上下キーが押下されると（Ｓ３２：Ｙ）、処理はＳ３４へ移行し、「Ｐｒｉｎｔ？」の表示が「Ｄｅｌｅｔｅ？」の表示に切り換えられる。すると、表示部１５に「Ｄｅｌｅｔｅ？」と表示しながらＳ３２，Ｓ３３のループ処理による待機がなされる。そして、この状態で再び上下キーが押下された場合は（Ｓ３２：Ｙ）、Ｓ３４では「Ｄｅｌｅｔｅ？」の表示が「Ｐｒｉｎｔ？」の表示に切り換えられ、再びＳ３２，Ｓ３３のループ処理が実行される。
【００４９】
また、Ｓ３２，Ｓ３３のループ処理中にＳＥＴキーが押下されると（Ｓ３３：Ｙ）、処理はＳ３７へ移行し、Ｓ２６の処理によって最後に表示されたファイル名がｘｘｘｘｘであるか否かが判断される。ファイル名がｘｘｘｘｘである場合は（Ｓ３５：Ｙ）、Ｓ３６にて、拒否音が鳴らされてそのまま処理が終了し、ファイル名がｘｘｘｘｘでない場合は（Ｓ３５：Ｎ）、Ｓ３７にて、そのファイルの印刷または削除が実行されて処理が終了する。すなわち、Ｓ３７では、ＳＥＴキーが押下された時点で（Ｓ３３：Ｙ）、表示部１５に「Ｐｒｉｎｔ？」と表示されていたらそのファイルを印刷する処理が、表示部１５に「Ｄｅｌｅｔｅ？」と表示されていたらそのファイルを削除する処理が、それぞれ実行される。
【００５０】
［本実施の形態の効果］
このように、本実施の形態では、ユーザ登録情報として登録されたユーザ文字列がファイル名に含まれる場合にのみ（Ｓ４：Ｙ）、そのファイルを選択して印刷または削除することができる（Ｓ３７）。このため、ＵＳＢメモリ１０５が複数の者で共有される場合にも、正規の使用者に対応するファイルのデータのみを印刷可能にして、正規の使用者以外の者による装置の使用を抑制することができる。
【００５１】
更に、本実施の形態では、ファイル名に基づいてそのファイルが正規の使用者の者か否かを判断しているので（Ｓ４）、正規の使用者は、パーソナルコンピュータ等によりＵＳＢメモリ１０５にデータを書き込む際に、自身に応じて予め登録された文字列を含むファイル名を付けるだけでそのデータを上記のように印刷または削除することができる。また、上記実施の形態では、印刷できないファイルもファイル名をｘｘｘｘｘに置き換えて表示されるので（Ｓ７）、ＵＳＢメモリ１０５にどのようなデータが記憶されているのかを、印刷できないファイルも含めて知ることができる。なお、上記処理において、Ｓ２１，Ｓ２６の処理が第２表示手段に、Ｓ２５の処理が第２指定手段に、Ｓ２１，Ｓ２５，Ｓ２６の処理が選択手段に、それぞれ相当する。
【００５２】
［上記実施の形態の変形例］
また、本発明は上記実施の形態になんら限定されるものではなく、本発明の要旨を逸脱しない範囲で種々の形態で実施することができる。例えば、上記実施の形態では、ファイル名がｘｘｘｘｘである場合は（Ｓ３５：Ｙ）、印刷も削除も全くできないものとしたが、拒否音の発生時（Ｓ３６）に管理者パスワード等を入力した場合には、ｘｘｘｘｘと表示されたファイルも印刷または削除できるようにしてもよい。
【００５３】
また、印刷できないファイルは表示しないようにしてもよい。図９は、そのような形態に対応したファイル表示リスト更新処理を表すフローチャートである。なお、この処理は、Ｓ７を省略した点において図６の処理と異なり、それ以外は図６の処理と同様である。すなわち、この処理では、ファイル名にユーザ文字列が含まれていない場合は（Ｓ４：Ｎ）、そのファイルは表示リストに入れられることなくそのまま次のファイルに対する処理への移行（Ｓ６：Ｙ）、若しくは処理の終了（Ｓ６：Ｙ）となる。
【００５４】
この場合、ユーザ文字列として「Ｙａｍａｄａ」と「ｓｕｚｕｋｉ」とが登録されている場合に、図１０（Ａ）に例示するようなファイルが記憶されたＵＳＢメモリ１０５が装着されると、図１０（Ｂ）に例示するような表示リストが作成される。すなわち、「Ｙａｍａｄａ」または「ｓｕｚｕｋｉ」の文字列がファイル名に含まれないファイルは、表示リストから除外される。この場合、図８のＳ２２〜Ｓ２６の処理では印刷または削除可能なファイルのみが表示部１５に表示されるので、印刷または削除すべきファイルの選択が一層容易になる。なお、この場合に実行される図８の処理において、Ｓ２１，Ｓ２６の処理が第１表示手段に、Ｓ２５の処理が第１指定手段に、Ｓ２１，Ｓ２５，Ｓ２６の処理が選択手段に、それぞれ相当する。
【００５５】
更に、上記各実施の形態では、予めＵＳＢメモリ１０５及びＮＶＲＡＭ１０７に登録されたユーザ登録情報とファイル名とを照合しているが、ユーザ登録情報としてのユーザ文字列は使用者が印刷時に操作部１４を介して入力するようにしてもよい。図１１は、そのような形態に対応したファイル表示リスト更新処理を表すフローチャートである。なお、この処理は、Ｓ２の処理をＳ２ａ，Ｓ２ｂのように変更した点において図９の処理と異なり、それ以外は図９の処理と同様である。
【００５６】
すなわち、本処理では、ＵＳＢファイル表示要求がなされた場合（Ｓ１：Ｙ）、Ｓ２ａにて、操作部１４を介してユーザ文字列が入力されたか否かが判断される。ユーザ文字列が入力されていない場合は（Ｓ２ａ：Ｎ）、Ｓ２ｂにて、処理が開始されてから所定時間が経過したか否かが判断され、所定時間が経過していない場合は（Ｓ２ｂ：Ｎ）、処理はＳ２ａへ移行する。なお、Ｓ２ａにて、ユーザ文字列が入力されても、ＵＳＢメモリ１０５及びＮＶＲＡＭ１０７に登録されているユーザ登録情報と一致しない場合には、無効な入力と判断され、正規のユーザ入力とは認められない（Ｓ２ａ：Ｎ）。
【００５７】
こうして、Ｓ２ａ，Ｓ２ｂの処理が繰り返される間に、所定時間が経過する前に（Ｓ２ｂ：Ｎ）、ユーザ文字列が入力されると（Ｓ２ａ：Ｙ）、処理は前述のＳ３へ移行して比較対照のファイルが設定される。すると、続くＳ４では、上記入力されたユーザ文字列とファイル名とが比較される。一方、上記Ｓ２ａ，Ｓ２ｂの処理が繰り返される間に、ユーザ文字列が入力されることなく（Ｓ２ａ：Ｎ）、所定時間が経過した場合は（Ｓ２ｂ：Ｙ）、図６，図９の処理においてユーザ登録情報がなかった場合と同様に、処理はそのまま一旦終了する。
【００５８】
このように、使用者が印刷を行う際に、適切なユーザ文字列が操作部１４から入力されない場合には、ＵＳＢメモリ１０５に記憶されたデータのファイル名が一切表示されないため、データの印刷や削除を行うことができない。このため、ＵＳＢメモリ１０５が第三者の手に渡り、たまたま、使用許可が与えられている複合機１に装着された場合であっても、ＵＳＢメモリ１０５に記憶されたデータがその第三者によって不正に印刷されるのを抑制することができる。
【００５９】
また、上記各実施の形態では、ＵＳＢメモリ１０５にファイル単位でデータが記憶されている場合を例にとって説明したが、ＵＳＢメモリ１０５に複数のファイルを格納したフォルダが記憶されている場合、そのフォルダに対しても同様の処理を行ってもよい。この場合、ユーザ文字列を含むフォルダが選択されてＳＥＴキーが押下された場合（Ｓ２３：Ｙ）、そのフォルダの中から所望ファイルをＳ２２〜Ｓ２６と同様の処理によって選択可能にしてもよい。この場合、個々のファイルのファイル名が任意のファイル名であっても、ユーザ文字列を含むフォルダに格納しておけばそのファイルを印刷または削除することができる。更に、携帯型記憶媒体としては、ＵＳＢメモリに限らず、メモリカードなど種々の媒体を適用することができる。
【図面の簡単な説明】
【００６０】
【図１】本発明を適用した複合機の外観を表す斜視図である。
【図２】その複合機の本体カバーを開いた状態の外観を表す斜視図である。
【図３】その複合機の本体内の概略構成を表す断面図である。
【図４】その複合機の本体カバー及び原稿読取部の構成を表す断面図である。
【図５】その複合機の制御系の構成を表すブロック図である。
【図６】その制御系によるファイル表示リスト更新処理を表すフローチャートである。
【図７】その処理によって作成される表示リストを例示する説明図である。
【図８】上記制御系による選択ファイルの印刷・削除処理を表すフローチャートである。
【図９】上記ファイル表示リスト更新処理の変形例を表すフローチャートである。
【図１０】その処理によって作成される表示リストを例示する説明図である。
【図１１】上記ファイル表示リスト更新処理の更なる変形例を表すフローチャートである。
【符号の説明】
【００６１】
１…複合機      ２…画像形成部      １４…操作部      １４Ｃ…メニューキー
１４Ｄ…十字キー    １４Ｅ…キャンセルキー    １５…表示部    ４０…原稿読取部
９０…操作検知部    ９１…表示駆動部    ９３…接続検知部    １０１…ＲＯＭ
１０２…ＲＡＭ      １０３…ＣＰＵ      １０４…ファクシミリインタフェース
１０５…ＵＳＢメモリ        １０６…接続部        １０７…ＮＶＲＡＭ
１０８…ネットワークインタフェース
【図１】
2008213329.tif 000003
【図２】
2008213329.tif 000004
【図３】
2008213329.tif 000005
【図４】
2008213329.tif 000006
【図５】
2008213329.tif 000007
【図６】
2008213329.tif 000008
【図７】
2008213329.tif 000009
【図８】
2008213329.tif 000010
【図９】
2008213329.tif 000011
【図１０】
2008213329.tif 000012
【図１１】
2008213329.tif 000013